(57)【要約】【課題】電子棚札システムを利用することにより、コスト増大を抑制しながら、スーパーマーケット等の店舗内の温度を最適に保つことが可能な空調制御システムを提供する。【解決手段】商品情報を表示する複数の電子棚札１と、該電子棚札１と通信を行う棚札サーバ２とで構成される電子棚札システムを利用すると共に、該電子棚札１の設置される室内の空調を行う空調機４と、該空調機４を制御する空調制御装置３とで構成される空調制御システムを、次のように構成する。即ち、棚札サーバ２と、空調制御装置３とを、相互に接続すると共に、電子棚札１に、該電子棚札１の周囲温度を検知する温度検知手段１７を備え、棚札サーバ２が、通信を介して電子棚札１の温度検知手段１７が検知した周囲温度を取得して空調制御装置３に提供すると、空調制御装置３は、提供された周囲温度に基づいて空調機４の制御を行う。【選択図】図１
2009074723.tif 000002
【特許請求の範囲】
【請求項１】
商品情報を表示する複数の電子棚札と、該電子棚札と通信を行う棚札サーバとで構成される電子棚札システムを利用すると共に、記前電子棚札の設置される室内の温度管理を行う温度管理装置を備えた温度管理システムであって、
前記棚札サーバと、温度管理装置とは、相互に接続されていると共に、
前記電子棚札は、前記電子棚札の周囲温度を検知する温度検知手段を備えており、
前記棚札サーバは、前記通信を介して前記電子棚札の前記温度検知手段が検知した前記周囲温度を取得して、前記温度管理装置に提供し、
前記温度管理装置は、前記棚札サーバから提供された前記周囲温度に基づいて、前記室内に設置されている全ての前記電子棚札が検知した前記周囲温度を、一覧表示することを特徴とする温度管理システム。
【請求項２】
前記温度管理装置は、前記電子棚札毎に温度管理基準を備えていると共に、前記電子棚札毎に、前記電子棚札の前記温度検知手段が検知した前記周囲温度と、前記温度管理基準との比較に基づいて、前記周囲温度が、前記温度管理基準から外れると、警報を発生する請求項１記載の温度管理システム。
【請求項３】
前記温度管理基準は、上限基準温度と下限基準温度で構成されている請求項２記載の温度管理システム。
【請求項４】
商品情報を表示する複数の電子棚札と、該電子棚札と通信を行う棚札サーバとで構成される電子棚札システムを利用すると共に、前記電子棚札の設置される室内の空調を行う単又は複数の空調機と、該空調機を制御する空調制御装置とで構成される空調制御システムであって、
前記棚札サーバと、前記空調制御装置とは、相互に接続されていると共に、
前記電子棚札は、前記電子棚札の周囲温度を検知する温度検知手段を備えており、
前記棚札サーバは、前記通信を介して前記電子棚札の前記温度検知手段が検知した前記周囲温度を取得して前記空調制御装置に提供し、
前記空調制御装置は、前記棚札サーバから提供された前記周囲温度に基づいて、前記空調機の制御を行うことを特徴とする空調制御システム。
【請求項５】
前記空調機毎に、該空調機と、前記室内で該空調機が空調を行うエリア内に設置されている電子棚札とが、対応付けられており、
前記空調制御装置は、前記対応付けられている電子棚札の前記温度検知手段が検知した前記周囲温度に基づいて、前記空調機毎の制御を行う請求項４記載の空調制御システム。
【請求項６】
前記空調制御装置は、前記空調機毎に、該空調機に対する温度制御基準を備えていると共に、前記空調機と対応付けられている電子棚札の前記温度検知手段が検知した前記周囲温度と、前記温度制御基準との比較に基づいて、前記空調機毎の制御を行う請求項５記載の空調制御システム。
【請求項７】
前記温度制御基準は、上限基準温度と下限基準温度で構成されている請求項６記載の空調制御システム。
【請求項８】
前記空調機と複数の前記電子棚札とが対応付けられている場合は、
前記空調制御装置は、該空調制御装置と対応付けられている前記電子棚札の前記温度検知手段が検知した前記周囲温度の平均値と、前記温度制御基準との比較に基づいて、前記空調機の制御を行う請求項６又は７記載の空調制御システム。
【請求項９】
前記空調機と複数の前記電子棚札とが対応付けられている場合は、
前記空調制御装置は、該空調制御装置と対応付けられている前記電子棚札の前記温度検知手段が検知した前記周囲温度が、前記空調制御装置と対応付けられている他の前記電子棚札の前記温度検知手段が検知した前記周囲温度から、所定温度差以上、高温側、又は、低温側に外れている場合は、当該周囲温度を前記空調機の制御に使用しない請求項６〜８のいずれか１項に記載の空調制御システム。
【請求項１０】
室内の温度を検知できない場所に設置されている前記電子棚札は、予め、前記温度管理装置、又は、前記空調制御装置に対象外電子棚札として登録されることにより、
前記温度管理装置、又は、前記空調制御装置は、前記対象外電子棚札として登録された前記電子棚札が検知した前記周囲温度を、前記棚札サーバから提供されても、該周囲温度を使用しない請求項１〜３のいずれか１項に記載の温度管理システム、又は、請求項４〜９のいずれか１項に記載の空調制御システム。
【請求項１１】
前記電子棚札は、メモリ性の表示器を備えると共に、該メモリ性の表示器の表示制御を行うための温度検知手段を備えており、該温度検知手段が前記温度検知手段として兼用される請求項１〜３、又は、請求項１０のいずれか１項に記載の温度管理システム、若しくは、請求項４〜１０のいずれか１項に記載の空調制御システム。
【発明の詳細な説明】
【技術分野】
【０００１】
本発明は、電子棚札システムを利用した空調制御システムに関する。
【背景技術】
【０００２】
スーパーマーケット等の店舗では、来店客が快適に買物を行えるようにするために、空調設備を用いて、店舗内を空調している。この空調設備は、一般に、スーパーマーケットの店舗が広いことから、複数の空調機が用いられている。
【０００３】
しかし、複数の空調機を用いて店舗内の温度を最適に保つには、広い店舗内をエリア毎に分けて、これらのエリアの温度をきめ細かく把握し、個々の空調機を制御する必要がある。そのためには、店舗内の温度を測定するための多数のセンサが必要であり、このような多数のセンサを用いたエリア毎の空調制御が可能な空調制御システムが、種々提案されている（例えば、特許文献１参照）。
【０００４】
ところで、上記のスーパーマーケット等の店舗では、販売する商品の名称や価格等の商品情報を表示する必要があり、この商品情報を商品に表示する作業は、従来、人手による手作業で行われ、作業効率や作業コストの点で問題であった。そこで、この商品に対する商品情報の表示を電子的に行う電子棚札システムが導入されている。この電子棚札システムでは、陳列されている商品の近傍に設置された電子棚札に、棚札サーバから商品の名称や価格等の商品情報が送信されて表示される。
【０００５】
上記の電子棚札システムは、スーパーマーケットや小売店等の店舗に陳列される多種類の商品に対応する必要があり、そのため、大量の電子棚札が用いられる。又、できるだけコストを低く抑えることが要求されることから、工事や保守の容易性が求められ、このため、電子棚札の電源には、ボタン電池等を用いる電池駆動が採用されている。
【０００６】
そのため、コストや保守の観点から、電子棚札の電池に対しても、できるだけ寿命を延ばすことが要求され、このため、電子棚札の消費電力を極力少なくすることが求められている。そこで、電子棚札の表示装置には、メモリ性があり、消費電力を抑制可能なコレステリック液晶が使われている。
【０００７】
このコレステリック液晶の表示原理は、相転移による２つの異なる分子配向を利用して表示を行う仕組である。即ち、コレステリック液晶の液晶分子は、らせん形状を有しており、このらせん構造により、特定の波長の光を反射(選択反射)する。そのため、らせん軸が表示面方向に向いておれば、特定の波長の光を反射する状態となる（プレーナ状態）。又、電圧を印加して、らせん軸を表示面に対して横たえる方向に向けると、光はセルを透過する状態となる（フォーカルコニック状態）。
【０００８】
このような表示原理のコレステリック液晶では、電圧の印加を停止しても、らせん軸の状態が保持される特徴を有している。即ち、一時的に電圧を印加してコレステリック液晶の表示駆動を行った後は、コレステリック液晶への電圧の印加を停止しても、表示は、そのまま継続して行われる。そのため、コレステリック液晶を用いることにより、消費電力の少ない表示装置を構成することができる。
【０００９】
しかしながら、コレステリック液晶は、表示のための書込を行う時間や電圧等を、周囲温度によって変更する必要がある。このため、コレステリック液晶を備える電子棚札には、電子棚札の周囲温度検知用のセンサが備えられている。
【特許文献１】特開平６−２８９２号公報
【発明の開示】
【発明が解決しようとする課題】
【００１０】
ところで、スーパーマーケット等の店舗は、上述したように、店舗が広いことから、複数の空調機を用いて、空調する必要がある。このような複数の空調機を用いて店舗内の温度を最適に保つには、上述したように、広い店舗内をエリア毎に分けて、これらのエリアの温度をきめ細かく把握し、個々の空調機を制御する必要がある。そのためには、店舗内の温度を測定するための、多数のセンサが必要である。
【００１１】
しかし、多数のセンサを、スーパーマーケット等の店舗内に設置するとなると、センサの費用や設置工事費用等も含めて、コスト増大が大きな問題となる。
【００１２】
一方、スーパーマーケット等の店舗では、最近、上述したように、電子棚札システムが導入されており、この電子棚札システムでは、電子棚札の電源にボタン電池等を用いる電池駆動が採用されていることから、電子棚札の消費電力を極力少なくするために、電子棚札の表示装置に、メモリ性があり消費電力を抑制可能なコレステリック液晶が使われている。そのため、このコレステリック液晶の表示制御用に、電子棚札には、周囲温度検知用のセンサが備えられている。
【００１３】
そうすると、電子棚札に備えられた周囲温度検知用のセンサを、スーパーマーケット等の店舗の空調を行う空調機の制御用に兼用して使用することができれば、スーパーマーケット等の店舗内の温度を最適に保つことが可能な空調制御を、コスト増大を抑制しながら、実現することができると考えられる。
【００１４】
そこで、この発明は、上記のような状況を考慮の上なされたものであって、電子棚札システムを利用することにより、コスト増大を抑制しながら、スーパーマーケット等の店舗内の温度を最適に保つことが可能な空調制御を実現することができる温度管理システム、或いは、空調制御システムを、提供しようとするものである。
【課題を解決するための手段】
【００１５】
まず、本発明の温度管理システムについて説明する。本発明の温度管理システムは、商品情報を表示する複数の電子棚札と、該電子棚札と通信を行う棚札サーバとで構成される電子棚札システムを利用している。この利用の仕方については、以下で述べる。又、この温度管理システムは、電子棚札の設置される室内の温度管理を行う温度管理装置を備えた温度管理システムである。
【００１６】
この温度管理システムにおける棚札サーバと、温度管理装置とは、相互に接続されている。又、電子棚札は、この電子棚札の周囲温度を検知する温度検知手段を備えている。
【００１７】
そのため、この温度管理システムでは、電子棚札システムの棚札サーバが、通信を介して電子棚札の温度検知手段が検知した周囲温度を取得して温度管理システムに提供すると、温度管理システムは、提供された周囲温度に基づいて、室内に設置されている全ての電子棚札が検知した周囲温度を一覧表示する。上記の温度管理システムは、このような特徴を備えている。
【００１８】
上記の温度管理システムは、電子棚札の温度検知手段が検知した周囲温度を、棚札サーバが電子棚札システムとしての構成要素である通信を介して取得して提供を受けることから、この点で、電子棚札システムを利用しているといえる。
【００１９】
上記の温度管理システムにおいて、次のようにしてもよい。即ち、温度管理装置は、電子棚札毎に温度管理基準を備えていると共に、電子棚札毎に、電子棚札の温度検知手段が検知した周囲温度と、温度管理基準との比較に基づいて、周囲温度が、温度管理基準から外れると、警報を発生するようにするのである。又、温度管理基準は、上限基準温度と下限基準温度で構成するようにしてもよい
次に、本発明の空調制御システムについて説明する。本発明の空調制御システムは、上記の本発明の温度管理システムと同様、商品情報を表示する複数の電子棚札と、該電子棚札と通信を行う棚札サーバとで構成される電子棚札システムを利用している。この利用の仕方については、以下で述べる。又、この空調制御システムは、電子棚札の設置される室内の空調を行う単又は複数の空調機と、該空調機を制御する空調制御装置とで構成される空調制御システムである。
【００２０】
この空調制御システムにおける棚札サーバと、空調制御装置とは、相互に接続されている。又、電子棚札は、この電子棚札の周囲温度を検知する温度検知手段を備えている。
【００２１】
そのため、この空調制御システムでは、電子棚札システムの棚札サーバが、通信を介して電子棚札の温度検知手段が検知した周囲温度を取得して空調制御装置に提供すると、空調制御装置は、提供された周囲温度に基づいて空調機の制御を行う。上記の空調制御システムは、このような特徴を備えている。
【００２２】
上記の空調制御システムは、上記の温度管理システムと同様、電子棚札の温度検知手段が検知した周囲温度を、棚札サーバが電子棚札システムとしての構成要素である通信を介して取得して提供を受けることから、この点で、電子棚札システムを利用しているといえる。
【００２３】
上記の空調制御システムにおいて、次のようにするのが好適である。即ち、空調機毎に、該空調機と、室内で該空調機が空調を行うエリア内に設置されている電子棚札とを対応付ける。そして、空調制御装置は、対応付けられている電子棚札の温度検知手段が検知した周囲温度に基づいて、空調機毎の制御を行うようにするのである。
【００２４】
又、この場合、さらに、空調制御装置には、空調機毎に、該空調機に対する温度制御基準を備える。そして、空調制御装置は、空調機と対応付けられている電子棚札の温度検知手段が検知した周囲温度と、温度制御基準との比較に基づいて、空調機毎の制御を行う。さらに、上記の温度制御基準を、上限基準温度と下限基準温度で構成するようにする。
【００２５】
そして、さらに、空調機と複数の電子棚札とが対応付けられている場合は、空調制御装置は、それぞれの電子棚札の温度検知手段が検知した周囲温度の平均値と、温度制御基準との比較に基づいて、空調機の制御を行うようにする。
【００２６】
上記のように、空調機と複数の電子棚札とが対応付けられている場合、空調制御装置は、該空調制御装置と対応付けられている電子棚札の温度検知手段が検知した周囲温度が、空調制御装置と対応付けられている他の電子棚札の温度検知手段が検知した周囲温度から、所定温度差以上、高温側、又は、低温側に外れている場合は、当該周囲温度を空調機の制御に使用しないようにしてもよい。
【００２７】
次に、上述した温度管理システム、及び、空調制御システムに共通する事項に付いて説明する。まず、上述した温度管理システム、又は、空調制御システムにおいて、次のようにしてもよい。即ち、冷蔵陳列ケース、或いは、冷凍陳列ケースの内部等、電子棚札の設置される室内の温度を検知できない場所に設置されている電子棚札が存在する場合は、このような電子棚札を、予め、温度管理装置、又は、空調制御装置に対象外電子棚札として登録するようにするのである。
【００２８】
この場合は、温度管理装置、又は、空調制御装置は、対象外電子棚札として登録された電子棚札が検知した周囲温度を、棚札サーバから提供されても、該周囲温度を使用しないようにする。
【００２９】
又、上述した温度管理システム、又は、空調制御システムにおいて、前述したように、電子棚札は、メモリ性の表示器を備えるのが好ましい。このように、電子棚札がメモリ性の表示器を備える場合は、電子棚札は、このメモリ性の表示器の表示制御を行うための温度検知手段を備えている。そこで、このメモリ性の表示器の表示制御を行うための温度検知手段を、上述した温度検知手段として兼用するようにするのが好適である。
【発明の効果】
【００３０】
本発明の温度管理システムによれば、電子棚札システムの電子棚札が備えている温度検知手段を用いて、室内に設置されている全ての電子棚札が検知した周囲温度を、一覧表示することができ、この結果を、電子棚札が設置されている室内の空調制御に役立たせることができるる。この、温度管理システムにおける温度検知手段に関係するコストは、電子棚札システムのコストに含まれることから、スーパーマーケット等の店舗内の温度管理に関する低コストの温度管理システムを実現することができる。
【００３１】
又、本発明の空調制御システムによれば、電子棚札システムの電子棚札が備えている温度検知手段を用いて、空調制御を行うことができる。そこで、空調制御システムにおける温度検知手段に関係するコストは、電子棚札システムのコストに含まれることから、空調制御システムにおけるコスト増大を抑制しながら、スーパーマーケット等の店舗内の温度を最適に保つことが可能な空調制御を、実現することができる。
【００３２】
又、本発明の空調制御システムにおいて、空調機が空調を行うエリア内に設置されている電子棚札とこの空調機とを対応付けすることで、対応付けられている電子棚札の温度検知手段により検知された温度に基づいて、空調機毎に制御を行うことができる。従って、スーパーマーケット等の広い店舗内を空調機毎のエリアに分けて、これらのエリアの温度をきめ細かく把握することにより、最適な空調をすることができる。
【発明を実施するための最良の形態】
【００３３】
次に、本発明の実施の形態における温度管理システム、及び、空調制御システムについて、図面を参照しながら説明する。
【００３４】
＜本発明の実施の形態における空調制御システムの説明＞
まず、空調制御システムについて説明する。図１は、本実施の形態における空調制御システムの構成を示したブロック図である。図１において、本実施の形態における空調制御システムは、スーパーマーケットの店舗で用いられるシステムであり、電子棚札１、棚札サーバ２、空調制御装置３、及び、空調機４で構成されている。
【００３５】
この内、電子棚札１と、棚札サーバ２とで電子棚札システムが構成されている。この電子棚札システムでは、電子棚札１は、この電子棚札１が表示の対象とする商品の近傍に設置される。又、棚札サーバ２には、電子棚札登録情報が登録されている。この電子棚札登録情報は、この電子棚札システムに使用されている全ての電子棚札１に対して、各電子棚札１毎に形成されており、この電子棚札登録情報により、スーパーマーケットの店舗に陳列される商品の管理が行われる。
【００３６】
この電子棚札登録情報は、図２に示すように、棚札ＩＤ、商品ＩＤ、商品情報等で構成されており、商品情報は、商品名や価格等で構成されている。これらの電子棚札登録情報が、当該電子棚札１に対して、棚札サーバ２から送信され、この電子棚札１で表示される。又、この電子棚札１には、後述するように、温度センサが備えられている。
【００３７】
又、スーパーマーケットの店舗内の空調を行う複数の空調機４が、スーパーマーケットの店舗内に設置され、この空調機４が、空調制御装置３と接続されている。
【００３８】
上記の空調制御システムでは、上述した棚札サーバ２と上記の空調制御装置３とが接続されている。又、電子棚札１に備えられている温度センサは、電子棚札システムを運用するのに用いられると共に、上記の空調制御システムの制御にも用いられる。
【００３９】
次に、上記の空調制御システムを構成する各要素について、具体的に説明する。図３は、電子棚札１の構成を示したブロック図であり、図４は、電子棚札１の外観図である。図３、及び、図４において、電子棚札１は、ＣＰＵ１１、メモリ１２、アンテナ１３ａを備えた無線通信部１３、コレステリック液晶表示器１６を接続した表示制御部１４、及び、温度センサ１７を接続したセンサＩ／Ｆ（インターフェイス）１５で構成される。これらの各部は、ＣＰＵ１１に接続されたデータバスやアドレスバス等で構成された制御ライン１８を介して、ＣＰＵ１１に接続されている。
【００４０】
ＣＰＵ１１は、マイクロプロセッサで構成されている。メモリ１２は、ＲＡＭ、或いは、フラッシュメモリ等で構成され、このメモリ１２には、ＯＳや各種のソフトウエアが格納されている。ＣＰＵ１１は、このメモリ１２に搭載されているソフトウエアにより、各種処理を行う。又、メモリ１２には、電子棚札１を識別するユニークなＩＤである棚札ＩＤが不揮発な状態で格納されている。
【００４１】
無線通信部１３は、無線ＬＡＮを介して、棚札サーバ２と通信を行う。この無線通信部１３のアンテナ１３ａは、電子棚札１の筐体の上部に備えられている。表示制御部１４は、コレステリック液晶表示器１６の制御に用いられる。コレステリック液晶表示器１６は、棚札サーバ２から送信される商品情報を表示するのに用いられる。センサＩ／Ｆは、温度センサ１７が検知したアナログ情報の温度を、デジタル情報に変換してＣＰＵ１１へ提供するのに用いられる。温度センサ１７は、電子棚札１の周囲の温度を検知するのに用いられる。この温度センサ１７は、電子棚札１の筐体に接するように内部に内蔵されている。
【００４２】
図５は、棚札サーバ２の構成を示したブロック図である。図５において、棚札サーバ２は、ＣＰＵ２１、メモリ２２、ＨＤＤ２３、アンテナ２４ａを備えた無線通信部２４、表示部２５、操作部２６、及び、外部接続Ｉ／Ｆ２７で構成されている。これらの各部は、ＣＰＵ２１に接続されたデータバスやアドレスバス等で構成される制御ライン２８を介して、相互に接続されている。
【００４３】
ＣＰＵ２１は、マイクロプロセッサで構成されており、メモリ２２は、ＲＡＭやフラッシュメモリ等で構成されている。又、ＨＤＤ２３には、棚札サーバ２を制御するのに必要なＯＳや各種の処理プログラム等のソフトウエアが格納されている。ＣＰＵ２１は、このＨＤＤ２３に搭載されたソフトウエアにより、棚札サーバ２における各種の処理を行う。無線通信部２４は、無線ＬＡＮを介して、電子棚札１と通信を行うのに用いられる。表示部２５は、各種の情報を表示するのに用いられる。操作部２６は、棚札サーバ２に対する情報の入力や各種の指示を行うのに使用される。又、外部接続Ｉ／Ｆは、後述する空調制御装置３と接続するのに用いられる。
【００４４】
図６は、空調制御装置３の構成を示したブロック図である。図６において、空調制御装置３は、ＣＰＵ３１、メモリ３２、ＨＤＤ３３、空調機接続部３４、表示部３５、操作部３６、及び、外部接続Ｉ／Ｆ３７で構成されている。これらの各部は、ＣＰＵ２１に接続されたデータバスやアドレスバス等で構成される制御ライン３８を介して、相互に接続されている。
【００４５】
ＣＰＵ３１は、マイクロプロセッサで構成されており、メモリ３２は、ＲＡＭやフラッシュメモリ等で構成されている。又、ＨＤＤ３３には、空調制御装置３を制御するのに必要なＯＳや各種の処理プログラム等のソフトウエアが格納されている。ＣＰＵ３１は、このＨＤＤ３３に搭載されたソフトウエアにより、空調制御装置３における各種の処理を行う。空調機接続部３４は、空調機４と接続するのに用いられる。表示部３５は、各種の情報を表示するのに用いられる。操作部３６は、空調制御装置３に対する情報の入力や各種の指示を行うのに使用される。又、外部接続Ｉ／Ｆは、上述した棚札サーバ２と接続するのに用いられる。
【００４６】
空調機接続部３４に接続される空調機４は、空調機能を備えており、空調機接続部３４からの３種類の指令に基づいて、これらの機能の制御を行う。この３種類の指令は、図７に示す、温度上昇指令、温度下降指令、及び、温度維持指令である。
【００４７】
温度上昇指令は、現在の温度よりも高くなるように制御させる指令である。温度下降指令は、現在の温度よりも低くなるように制御させる指令である。そして、温度維持指令は、現在の温度を維持するように制御させる指令である。これらの指令を受けた空調機４やは、指令の内容に従って、温度を上げたり、下げたり、或いは、維持したりする温度の制御を行う。
【００４８】
ところで、上記の空調制御システムに用いられている電子棚札システムの電子棚札１には、上述したように、コレステリック液晶表示器１６が用いられている。このコレステリック液晶表示器１６は、前述したように、表示制御における表示のための書込を行う時間や電圧等を、周囲温度によって変更する必要がある。このため、コレステリック液晶を備える電子棚札には、電子棚札の周囲温度検知用のセンサが備えられている。上記の空調制御システムにおける電子棚札１に備えられている温度センサ１７は、本来、このコレステリック液晶表示器１６の表示制御のために備えられたものであり、この温度センサ１７は、上記の空調制御システムに必要な温度検知用のセンサとして兼用されている。
【００４９】
次に、本実施の形態における空調制御システムの動作について説明する。上述したように、上記の空調制御システムでは、電子棚札１と棚札サーバ２とで電子棚札システムが構成されており、棚札サーバ２から、商品が陳列される近傍に設置された複数の電子棚札１に対して、この電子棚札１の近傍に陳列されている商品の情報が送信され、この電子棚札１で表示される。即ち、棚札サーバ２と電子棚札１とが相互に通信を行う。
【００５０】
上述したように、電子棚札１には、この電子棚札１の周囲温度を検知する温度センサ１７が備えられている。そこで、棚札サーバ２は、この棚札サーバ２と電子棚札１との相互間で行われる上述した通信を介して、この電子棚札１の温度センサ１７が検知した電子棚札１の周囲温度を取得することができる。本実施の形態における空調制御システムは、この棚札サーバ２が取得した電子棚札１の周囲温度を用いて、スーパーマーケットの店舗における空調の温度制御を行うものである。
【００５１】
即ち、本実施の形態における空調制御システムは、棚札サーバ２が取得した電子棚札１の周囲温度を、この棚札サーバ２から空調制御装置３が提供を受けて、空調制御装置３に接続されている空調機４の制御を行うものである（図１参照）。
【００５２】
図８は、本実施の形態における空調制御システムを用いたスーパーマーケットの店舗における、空調機４、及び、電子棚札１の配置の例を示したものである。空調機４の台数や電子棚札１の個数は、スーパーマーケットの店舗の大きさによって異なる。図８では、分かりやすくするため、空調機４の台数や電子棚札１の個数を少なくして、記載している。
【００５３】
図８における、スーパーマーケットの店舗では、店舗のエリアが、野菜エリアや果物エリア等の各エリアに区分されており、各エリアには、エリアの名称とエリアを識別するエリアＩＤが付与されている。このエリアＩＤは、追番を含んでおり、温度制御処理の際には、この追番順に処理される。
【００５４】
又、各エリアには、空調機４と電子棚札１とが設置されている。これらのエリアの中には、電子棚札１は設置されているものの空調機４が設置されていないエリアも存在する。又、エリア内に冷蔵陳列ケース５、或いは、冷凍陳列ケース６が設置されているエリアも存在する。これらの冷蔵陳列ケース５、或いは、冷凍陳列ケース６が設置されているエリアでは、電子棚札１は、冷蔵陳列ケース５、或いは、冷凍陳列ケース６の内部に設置されている。
【００５５】
この冷蔵陳列ケース５、或いは、冷凍陳列ケース６の内部に設置されている電子棚札１は、スーパーマーケットの店舗内の温度を測定することはできず、従って、店舗内の空調制御に用いることはできない。そこで、本実施の形態における空調制御システムでは、冷蔵陳列ケース５、或いは、冷凍陳列ケース６の内部に設置されている電子棚札１が検知した周囲温度を、空調制御装置３が棚札サーバ２から提供されても、後述するように、使用されないようにしている。
【００５６】
上記の内容から分かるとおり、空調機４が空調を行うエリア内に設置されている電子棚札１は、この空調機４に対して、一義的に対応付けることができる。そこで、空調制御装置３のメモリ３２には、図９に示すような、各空調機４と電子棚札１とが対応付けられた空調制御エリアテーブルが備えられている。この空調制御エリアテーブルには、各エリアＩＤ毎に、エリア名称、室温制御可否、温度制御基準、異常判断温度差（Ｔｅ）、棚札ＩＤ、及び、取得温度を記入する欄である取得温度欄が備えられている。
【００５７】
この内、室温制御可否は、当該エリアが、室温制御が可能であるか否かを表すものである。この室温制御可否が「可」であるエリアに対しては、空調制御装置３は室温制御を行うが、この室温制御可否が「否」であるエリアに対しては、空調制御装置３は室温制御を行わない。
【００５８】
尚、空調機４が設置されていないエリアに設置されている電子棚札１はも、上記の空調制御エリアテーブルには記載されるが、空調機と対応付けができないので、上記の空調制御エリアテーブルの室温制御可否には、「否」が記載される。
【００５９】
温度制御基準は、当該エリアにおける温度制御に対する基準であり、上限基準温度（Ｔｕ）と下限基準温度（Ｔｄ）とで構成されている。当該エリアでは、この温度制御基準の上限基準温度（Ｔｕ）と下限基準温度（Ｔｄ）との間の温度になるように、温度制御される。
【００６０】
異常判断温度差（Ｔｅ）は、電子棚札１の周囲温度を検知する温度センサ１７が異常であるか否かを判断するのに用いられるものである。一般的に、電子棚札１に備えられている温度センサ１７が故障等により異常となる確率は、高くはないと考えられる。そこで、本実施の形態における空調制御システムでは、同一エリアに存在する電子棚札１の温度センサ１７の検知した取得温度が、同じ同一エリアに存在する他の電子棚札１の温度センサ１７の検知した取得温度と比較して、その差の絶対値が上記の異常判断温度差（Ｔｅ）以上であると、当該電子棚札１の温度センサ１７は、異常であると判断する仕組を、採用している。
【００６１】
棚札ＩＤは、当該エリアに配置された電子棚札１が備える棚札ＩＤである。当該エリアに複数の電子棚札１が設置されていると、これらの複数の電子棚札１が、当該エリアと対応して空調制御エリアテーブルに記載される。
【００６２】
取得温度欄は、これらの各棚札ＩＤと対応して設けられている。この取得温度欄は、この取得温度欄と対応する棚札ＩＤを備えた電子棚札１が検知した温度を、空調制御装置３が棚札サーバ２を介して取得の上、記入する欄である。この取得温度欄に記入される温度、即ち、この取得温度欄と対応する棚札ＩＤを備えた電子棚札１が検知した温度が、取得温度（Ｔ）である。
【００６３】
この取得温度（Ｔ）は、空調制御装置３が棚札サーバ２から提供を受けるたびに、取得温度欄に記入される。この提供は、棚札サーバ２から空調制御装置３に対して、一定間隔で定期的に行われ、上記の取得温度（Ｔ）と、当該取得温度（Ｔ）を検知した電子棚札１の棚札ＩＤとが、一対で、棚札サーバ２から空調制御装置３へ提供される。又、既に取得温度欄に取得温度（Ｔ）が記入された後に、新たに取得温度（Ｔ）が記入されると、上書きされる。従って、取得温度欄には、最新の取得温度が記入されている。
【００６４】
又、本実施の形態における空調制御システムでは、空調制御装置３が棚札サーバ２を介して取得した取得温度（Ｔ）は、この温度を検知した電子棚札１の棚札ＩＤ、及び、この棚札ＩＤが配置されているエリアの名称と共に、温度一覧表示テーブルとして、空調制御装置３の表示部３５に表示される。図１０は、この表示の例を示した温度一覧表示テーブルである。この表示に示されるエリアには、空調制御装置３が設置されているエリア以外の冷蔵陳列ケース５、或いは、冷凍陳列ケース６が設置されているエリアは、含まれない。
【００６５】
又、本実施の形態における空調制御システムでは、空調制御装置３が空調制御処理を行うのに使用する処理支援要素として、ソフトウエアで構成された、制御間隔タイマ（ＴＭ）、取得温度個数カウンタ（Ｃ）、及び、取得温度異常フラグ（Ｆ）を、空調制御装置３に設けると共に、空調制御装置３のメモリ３２に、次の情報の記録エリアを設けている。この情報としては、対象棚札取得温度（Ｔｓ）、比較棚札取得温度（Ｔｃ）、取得温度加算値（Ｔｔ）、及び、取得温度平均値（ｔａ）が用いられている。
【００６６】
空調制御装置３では、上述したように、同一エリアに存在する電子棚札１の温度センサ１７の検知した取得温度が、同じ同一エリアに存在する他の電子棚札１の温度センサ１７が検知した取得温度と比較して、その差の絶対値が上記の異常判断温度差（Ｔｅ）以上であると、当該電子棚札１の温度センサ１７は、異常であると判断する仕組が、採用されている。
【００６７】
そこで、同一エリアに存在する電子棚札１を、対象棚札と称すると共に、同じ同一エリアに存在する他の電子棚札１を、比較棚札と称する。又、対象棚札の温度センサ１７の検知した取得温度を、対象棚札取得温度（Ｔｓ）とし、比較棚札の温度センサ１７の検知した取得温度を、比較棚札取得温度（Ｔｃ）としている。
【００６８】
又、取得温度異常フラグ（Ｆ）は、取得温度が正常な場合は、Ｆ＝０のままで、電子棚札１の異常な温度センサ１７により検知された取得温度である場合は、Ｆ＝１とするフラグである。
【００６９】
又、同一エリアに存在する複数の電子棚札１の温度センサ１７の検知した取得温度（Ｔ）の中から、電子棚札１の異常な温度センサ１７により検知された取得温度を除いた残りの取得温度（Ｔ）の個数をカウントするのが、取得温度個数カウンタ（Ｃ）であり、上記の残りの取得温度（Ｔ）の合計値が、取得温度加算値（Ｔｔ）であり、そして、上記の残りの取得温度（Ｔ）の平均値が、取得温度平均値（ｔａ）である。
【００７０】
又、制御間隔タイマ（ＴＭ）は、全てのエリアＩＤに対する空調制御の制御間隔を定めるタイマである。
【００７１】
次に、本実施の形態における空調制御システムの制御動作について、具体的に説明する。図１１〜図１５は、本実施の形態における空調制御システムの制御動作を示したフローチャートである。この内、図１１は、空調制御装置３における基本動作を示したフローチャートである。
【００７２】
図１１において、空調制御装置３は、まず、図９の空調制御エリアテーブルに記載されているエリアＩＤの中から、追番順に、１つを選択して、選択エリアＩＤとする(Ｓ１)。そして、次に、上記の選択エリアＩＤと対応する室温制御可否を、空調制御エリアテーブルから抽出すると共に（Ｓ２）、この抽出された室温制御可否が、「可」と「否」のいずれであるかをチェックする（Ｓ３）。
【００７３】
Ｓ３における室温制御可否のチェックで、「可」であれば、Ｓ１で選択された選択エリアＩＤのエリアは、室温制御の対象エリアである。そこで、次に、取得温度平均値算出処理（Ｓ１００）、及び、この取得温度平均値算出処理（Ｓ１００）の後に続けて、空調制御処理（Ｓ２００）を行って、Ｓ５へ進む。
【００７４】
上記の取得温度平均値算出処理（Ｓ１００）は、この取得温度平均値算出処理（Ｓ１００）の後に続けて行われる空調制御処理（Ｓ２００）の準備として、同一エリアに存在する電子棚札１の温度センサ１７が検知した取得温度（Ｔ）の平均値（Ｔａ）を求める処理である。又、空調制御処理（Ｓ２００）は、取得温度平均値算出処理（Ｓ１００）で求められた取得温度（Ｔ）の平均値（Ｔａ）に基づいて、空調制御を行う処理である。これらの取得温度平均値算出処理（Ｓ１００）の詳細、及び、空調制御処理（Ｓ２００）の詳細については、後述する
Ｓ３における室温制御可否のチェックで、「可」でなければ、即ち、「否」であれば、Ｓ１で選択された選択エリアＩＤのエリアは、室温制御の対象エリアではない。そこで、上記の取得温度平均値算出処理（Ｓ１００）、及び、温度制御処理（Ｓ２００）を行わず、何もしないで、Ｓ５へ進む。
【００７５】
Ｓ５では、全てのエリアＩＤに対して、処理を終了したか否かをチェックし、終了していなければ（Ｓ６）、Ｓ１へ戻って、Ｓ１以降の処理を繰返す。終了していると（Ｓ６）、制御間隔タイマ（ＴＭ）をスタートさせると共に、一定時間が経過することにより、この制御間隔タイマ（ＴＭ）がタイムアップするのを待って（Ｓ８）、Ｓ１へ戻り、最初からＳ１以降の処理を繰返す。この制御間隔タイマ（ＴＭ）を用いた一定時間の経過後にＳ１以降の処理を再開するのは、空調制御装置３による空調機４に対する制御を安定に行うようにするためである。
【００７６】
本実施の形態における空調制御システムを用いたスーパーマーケットの店舗の各エリアでは、図１１のフローチャートにおける、上述したＳ１からＳ８の動作を繰返すことにより、図９の空調制御エリアテーブルに記載されている温度制御基準に基づいた温度制御が行われる。
【００７７】
次に、図１１の空調制御装置３の基本動作を示したフローチャートにおけるＳ１００の取得温度平均値算出処理について説明する。図１２、及び、図１３は、この取得温度平均値算出処理（Ｓ１００）を示したフローチャートである。図１２、及び、図１３において、空調制御装置３は、まず、取得温度加算値（Ｔｔ）をリセットして、Ｔｔ＝０とすると共に（Ｓ１０１）、取得温度個数カウンタ（Ｃ）をリセットして、Ｃ＝０とする（Ｓ１０２）。
【００７８】
次に、Ｓ１で選択された選択エリアＩＤと対応付けられた棚札ＩＤの中から、順に、１つの棚札ＩＤを、空調制御エリアテーブルから選択して、対象棚札ＩＤとする（Ｓ１０３）。そして、次に、この対象棚札ＩＤの取得温度（Ｔ）を、空調制御エリアテーブルから抽出して、対象棚札取得温度（Ｔｓ）として、空調制御装置３のメモリ３２に記録する（Ｓ１０４）。そして、次に、取得温度異常チェック処理（Ｓ１５０）を行う。
【００７９】
この取得温度異常チェック処理（Ｓ１５０）は、上記の対象棚札取得温度（Ｔｓ）が、電子棚札１の異常な温度センサ１７で検知されたものであるか否かをチェックする処理である。この取得温度異常チェック処理（Ｓ１５０）の詳細については、後述する。又、この取得温度異常チェック処理（Ｓ１５０）で、上記の対象棚札取得温度（Ｔｓ）が異常な温度センサ１７で検知されたものであると判断されると、取得温度異常フラグ（Ｆ）がセットされて、Ｆ＝１となる。
【００８０】
そこで、取得温度異常チェック処理（Ｓ１５０）が終了すると、次に、取得温度異常フラグ（Ｆ）がセットされているか否かをチェックし（Ｓ１０５）、セットされていないと、即ち、Ｆ＝０であると（Ｓ１０６）、上記の対象棚札取得温度（Ｔｓ）は、正常な温度センサ１７で検知されたものである。そこで、上記の対象棚札取得温度（Ｔｓ）は、取得温度平均値算出に用いることができるので、次に、上記の対象棚札取得温度（Ｔｓ）を取得温度加算値（Ｔｔ）に加算して、Ｔｔ＝Ｔｔ＋Ｔｓとすると共に（Ｓ１０７）、取得温度個数カウンタ（Ｃ）をインクリメントして、Ｃ＝Ｃ＋１として（Ｓ１０８）、Ｓ１０９へ進む。
【００８１】
Ｓ１０５における取得温度異常フラグ（Ｆ）がセットされているか否かのチェックで、取得温度異常フラグ（Ｆ）がセットされていると、即ち、Ｆ＝１であると（Ｓ１０６）、上記の対象棚札取得温度（Ｔｓ）は、異常な温度センサ１７で検知されたものである。そこで、上記の対象棚札取得温度（Ｔｓ）は、取得温度平均値算出に用いることができないので、上記のＳ１０７、及び、Ｓ１０８の処理は行わず、何もしないで、Ｓ１０９へ進む。
【００８２】
即ち、上記の対象棚札取得温度（Ｔｓ）が、異常な温度センサ１７で検知されたものであると判断されると、この対象棚札取得温度（Ｔｓ）は、排除され、取得温度平均値算出に使用されないようにしている。
【００８３】
次に、Ｓ１０９では、Ｓ１で選択された選択エリアＩＤと対応付けられた棚札ＩＤの中から、全ての棚札ＩＤを対象棚札ＩＤとする選択を終了したか否かをチェックし、終了していないと（Ｓ１１０）、Ｓ１０３に戻ってＳ１０３以降の処理を繰返す。終了していると（Ｓ１１０）、次に、取得温度加算値（Ｔｔ）を取得温度個数カウンタ（Ｃ）のカウント値で除算して、取得温度平均値（Ｔａ）を求める。即ち、Ｔａ＝Ｔｔ／Ｃとして（Ｓ１１１）、取得温度平均値算出処理（Ｓ１００）を終了する。
【００８４】
次に、図１２、及び、図１３の取得温度平均値算出処理（Ｓ１００）を示したフローチャートにおけるＳ１５０の取得温度異常チェック処理について説明する。図１４は、この取得温度異常チェック処理（Ｓ１５０）を示したフローチャートである。図１４において、空調制御装置３は、まず、取得温度異常フラグ（Ｆ）をリセットして、Ｆ＝０とする（Ｓ１５１）。
【００８５】
次に、Ｓ１で選択された選択エリアＩＤと対応付けられた棚札ＩＤの中から、対象棚札ＩＤ以外の棚札ＩＤを順に１つ選択して、比較棚札ＩＤとする（Ｓ１５２）。そして、次に、上記の比較棚札ＩＤの取得温度（Ｔ）を、空調制御エリアテーブルから抽出して、比較棚札取得温度（Ｔｃ）として、空調制御装置３のメモリ３２に記録する（Ｓ１５３）。
【００８６】
次に、Ｓ１で選択された選択エリアＩＤと対応する異常判断温度差（Ｔｅ）を、空調制御エリアテーブルから抽出して、この異常判断温度差（Ｔｅ）を、対象棚札取得温度（Ｔｓ）と比較棚札取得温度（Ｔｃ）との差（絶対値）と比較する（Ｓ１５４）。
【００８７】
この異常判断温度差（Ｔｅ）の、対象棚札取得温度（Ｔｓ）と比較棚札取得温度（Ｔｃ）との差（絶対値）との比較において（Ｓ１５４）、対象棚札取得温度（Ｔｓ）と比較棚札取得温度（Ｔｃ）との差（絶対値）が、異常判断温度差（Ｔｅ）以上であると、即ち、下記（式１）の式を満足していると、上述したように、この対象棚札取得温度（Ｔｓ）は、電子棚札１の異常な温度センサ１７で検知されたものである。そこで、この場合は、取得温度異常フラグ（Ｆ）をセットして、Ｆ＝１として、取得温度異常チェック処理（Ｓ１５０）を終了する。
【００８８】
｜Ｔｓ―Ｔｃ｜≧Ｔｅ      （式１）
Ｓ１５４における異常判断温度差（Ｔｅ）の、対象棚札取得温度（Ｔｓ）と比較棚札取得温度（Ｔｃ）との差（絶対値）との比較において、対象棚札取得温度（Ｔｓ）と比較棚札取得温度（Ｔｃ）との差（絶対値）が、異常判断温度差（Ｔｅ）以上ではないと、即ち、上記（式１）の式を満足していないと、この対象棚札取得温度（Ｔｓ）は、電子棚札１の異常な温度センサ１７で検知されたものではない。そこで、この場合は、取得温度異常フラグ（Ｆ）をセットせず、リセットされたままの状態、即ち、Ｆ＝０の状態で、Ｓ１５７へ進む。
【００８９】
Ｓ１５７では、Ｓ１で選択された選択エリアＩＤと対応付けられた棚札ＩＤの中から、対象棚札ＩＤ以外の棚札ＩＤを全て、比較棚札ＩＤとする選択を終了したか否かをチェックし、終了していないと（Ｓ１５８）、Ｓ１５２に戻ってＳ１５２以降の処理を繰返す。終了していると（Ｓ１５８）、取得温度異常フラグ（Ｆ）がリセットされたままの状態、即ち、Ｆ＝０の状態のままで、取得温度異常チェック処理（Ｓ１５０）を終了する。
【００９０】
次に、図１１の空調制御装置３の基本動作を示したフローチャートにおけるＳ２００の空調制御処理について説明する。図１５は、この空調制御処理（Ｓ２００）を示したフローチャートである。図１５において、空調制御装置３は、まず、Ｓ１で選択された選択エリアＩＤと対応する温度制御基準の上限基準温度（Ｔｕ）を、空調制御エリアテーブルから抽出して、上述の取得温度平均値算出処理（Ｓ１００）で求められた取得温度平均値（Ｔａ）と比較する（Ｓ２０１）。
【００９１】
Ｓ２０１における取得温度平均値（Ｔａ）と上限基準温度（Ｔｕ）との比較において、取得温度平均値（Ｔａ）が上限基準温度（Ｔｕ）より高いと、即ち、Ｔａ＞Ｔｕであると（Ｓ２０２）、Ｓ１で選択された選択エリアＩＤの空調機４へ、温度下降指令を送信して(Ｓ２０３)、空調制御処理（Ｓ２００）を終了する。
【００９２】
Ｓ２０１における取得温度平均値（Ｔａ）と上限基準温度（Ｔｕ）との比較において、取得温度平均値（Ｔａ）が上限基準温度（Ｔｕ）より高くないと、即ち、Ｔａ＞Ｔｕではないと（Ｓ２０２）、Ｓ２０４へ進む。
【００９３】
Ｓ２０４では、Ｓ１で選択された選択エリアＩＤと対応する温度制御基準の下限基準温度（Ｔｄ）を、空調制御エリアテーブルから抽出して、上述の取得温度平均値算出処理（Ｓ１００）で求められた取得温度平均値（Ｔａ）と比較する。
【００９４】
Ｓ２０４における取得温度平均値（Ｔａ）と下限基準温度（Ｔｄ）との比較において、取得温度平均値（Ｔａ）が下限基準温度（Ｔｄ）より低いと、即ち、Ｔａ＜Ｔｄであると（Ｓ２０５）、Ｓ１で選択された選択エリアＩＤの空調機４へ、温度上昇指令を送信して(Ｓ２０６)、空調制御処理（Ｓ２００）を終了する。
【００９５】
Ｓ２０４における取得温度平均値（Ｔａ）と下限基準温度（Ｔｄ）との比較において、取得温度平均値（Ｔａ）が下限基準温度（Ｔｄ）より低くないと、即ち、Ｔａ＜Ｔｄではないと（Ｓ２０２）、Ｓ１で選択された選択エリアＩＤの空調機４へ、温度維持指令を送信して(Ｓ２０７)、空調制御処理（Ｓ２００）を終了する。
【００９６】
上記の、本実施の形態における空調制御システムによれば、電子棚札システムの電子棚札１が備えている温度センサ１７を用いて、空調制御を行うことができる。そこで、空調制御システムにおける温度センサ１７に関係するコストは、電子棚札システムのコストの含まれることから、空調制御システムにおけるコスト増大を抑制しながら、スーパーマーケット等の店舗内の温度を最適に保つことが可能な空調制御を、実現することができる。
【００９７】
又、空調機４が空調を行うエリア内に設置されている電子棚札１とこの空調機４とを対応付けすることで、対応付けられている電子棚札１の温度センサ１７により検知された温度に基づいて、空調機４毎に制御を行うことができる。従って、スーパーマーケット等の広い店舗内を空調機４毎のエリアに分けて、これらのエリアの温度をきめ細かく把握することにより、最適な空調をすることができる。
【００９８】
又、各エリアに設置された空調機毎に、該空調機に対する温度制御基準を備えていると共に、この温度制御基準との比較により、空調機毎の制御を行うので、エリア毎のきめ細かい空調制御をすることができる。
【００９９】
又、温度制御基準は、上限基準温度（Ｔｕと下限基準温度（Ｔｄ）とで構成されているので、空調制御装置３における空調機４の空調制御を、例えば、基準温度が１つしか設定されていない場合によく生じる不安定な制御動作となるようなことは無く、安定的に行うことができる。
【０１００】
又、電子棚札１の温度センサ１７が検知した周囲温度が、異常な温度センサ１７で検知された取得温度であるか否かをチェックしているので、正確な空調制御を行うことができる。
【０１０１】
又、空調機４と対応付けられている電子棚札１の温度センサ１７が検知した周囲温度を、各温度制御が行われるエリア名称と共に、空調制御装置３の表示部３５に表示することができる。従って、スーパーマーケット等における店舗内のエリアの温度を、容易に監視することができる。
【０１０２】
上記の本実施の形態における空調制御システムでは、電子棚札１が備える液晶表示器として、コレステリック液晶表示器１６を用いているが、これには限られず、通常の液晶表示器を用いるようにしてもよい。
【０１０３】
又、上記の本実施の形態における空調制御システムでは、空調制御装置３は、スーパーマーケットの店舗のエリアを分割して、エリア毎に設置された複数の空調機４を用いた空調制御を行っている。しかし、空調制御の形態としては、このような形態には限られず、スーパーマーケットの店舗に設置された１台の空調機４に対する空調制御の形態とするようにしてもよい。
【０１０４】
この場合は、空気の噴出し口を、制御仕様とするエリアのほうへ向けることによって、擬似的に、エリア毎の空調制御を行うことができる。
【０１０５】
又、上記の本実施の形態における空調制御システムでは、棚札サーバ２と空調制御装置３とは、それぞれ独立した装置であるが、双方を一体化して、例えば、店舗サーバを構成し、この店舗サーバと、電子棚札１、及び、空調機とで構成される空調制御システムとするようにしてもよい。
【０１０６】
＜本発明の実施の形態における温度管理システムの説明＞
次に、本発明の実施の形態における温度管理システムについて説明する。図１６は、本実施の形態における温度管理システムの構成を示したブロック図である。図１６において、本実施の形態における温度管理システムは、スーパーマーケットの店舗で用いられるシステムであり、電子棚札１、棚札サーバ２、及び、温度管理装置７で構成されている。
【０１０７】
この内、電子棚札１と、棚札サーバ２とで電子棚札システムが構成されているのは、上述した本実施の形態における空調制御システムと同様であり、電子棚札１には、温度センサ１７が備えられている。
【０１０８】
この温度管理システムでは、棚札サーバ２と温度管理装置７とが接続されている。又、電子棚札１に備えられている温度センサは、電子棚札システムを運用するのに用いられると共に、上記の温度管理システムにも用いられる。
【０１０９】
又、この温度管理システムを構成する構成要素の電子棚札１、及び、棚札サーバ２は、上述した本実施の形態における空調制御システムの電子棚札１、及び、棚札サーバ２と、全く同じである。又、温度管理装置７の構成は、上述した本実施の形態における空調制御システムにおける空調制御装置３とほとんど同じであり、空調制御装置３と異なるのは、温度管理装置７には、空調制御装置３に備えられている空調機接続部３４が、備えられていない点である。
【０１１０】
図１７は、温度管理装置７の構成を示したブロック図である。図１７において、温度管理装置７は、ＣＰＵ３１、メモリ３２、ＨＤＤ３３、表示部３５、操作部３６、及び、外部接続Ｉ／Ｆ３７で構成されている。これらの各部は、ＣＰＵ２１に接続されたデータバスやアドレスバス等で構成される制御ライン３８を介して、ＣＰＵ２１に接続されている。
【０１１１】
ＣＰＵ３１は、マイクロプロセッサで構成されており、メモリ３２は、ＲＡＭやフラッシュメモリ等で構成されている。又、ＨＤＤ３３には、温度管理を行うのに必要なＯＳや各種の処理プログラム等のソフトウエアが格納されている。ＣＰＵ３１は、このＨＤＤ３３に搭載されたソフトウエアにより、温度管理装置７における各種の処理を行う。表示部３５は、各種の情報を表示するのに用いられる。操作部３６は、温度管理装置７に対する情報の入力や各種の指示を行うのに使用される。又、外部接続Ｉ／Ｆは、上述した棚札サーバ２と接続するのに用いられる。
【０１１２】
又、電子棚札１には、上述した本実施の形態における空調制御システムと同様、コレステリック液晶表示器１６が用いられており、このコレステリック液晶表示器１６の表示制御を行うために電子棚札１に備えられた温度センサ１７は、この温度管理システムに必要な温度検知用のセンサとして兼用される。
【０１１３】
次に、本実施の形態における温度管理システムの動作について説明する。上述したように、この温度管理システムでは、電子棚札１と棚札サーバ２とで電子棚札システムが構成されており、棚札サーバ２から、商品が陳列される近傍に設置された複数の電子棚札１に対して、この電子棚札１の近傍に陳列されている商品の情報が送信され、この電子棚札１で表示される。即ち、棚札サーバ２と電子棚札１とが相互に通信を行う。
【０１１４】
上述したように、電子棚札１には、この電子棚札１の周囲温度を検知する温度センサ１７が備えられている。そこで、棚札サーバ２は、この棚札サーバ２と電子棚札１との相互間で行われる通信を介して、この電子棚札１の温度センサ１７が検知した電子棚札１の周囲温度を取得することができる。本実施の形態における温度管理システムは、この棚札サーバ２が取得した電子棚札１の周囲温度を用いて、スーパーマーケットの店舗における温度の管理を行うものである。
【０１１５】
即ち、本実施の形態における温度管理システムは、棚札サーバ２が取得した電子棚札１の周囲温度を、この棚札サーバ２から温度管理装置７が提供を受けて、スーパーマーケットの店舗における温度の管理を行う。
【０１１６】
この温度の管理を行うために、温度管理装置７のメモリ３２には、図１８に示すような、温度管理テーブルが備えられている。この温度管理テーブルには、棚札ＩＤ、温度管理基準、取得温度を記入する欄である取得温度欄が備えられている。又、上述した本実施の形態における空調制御システムと同様の、ソフトウエアで構成された制御間隔タイマ（ＴＭ）が用いられる。
【０１１７】
図１８の温度管理テーブルにおいて、棚札ＩＤは、本実施の形態における温度管理システムが用いられているスーパーマーケットの店舗に設置されている電子棚札１が備えるユニークなＩＤである。この棚札ＩＤは、上述した本実施の形態における空調制御システムと同様、当該電子棚札１を識別するものであり、電子棚札１のメモリ１２に、不揮発な状態で格納されている。
【０１１８】
温度管理基準は、当該電子棚札１の周囲、即ち、当該電子棚札１が備えられている場所に対する温度管理の基準であり、上限基準温度（Ｔｕ）と下限基準温度（Ｔｄ）とで構成されている。当該電子棚札１が備えられている場所の温度に対しては、この温度制御基準の上限基準温度（Ｔｕ）と下限基準温度（Ｔｄ）とで管理される。具体的には、当該電子棚札１が備えられている場所の温度が、この温度制御基準の上限基準温度（Ｔｕ）と下限基準温度（Ｔｄ）とで規定される範囲を超えると、警報を発生するようにしている。
【０１１９】
取得温度欄は、これらの各棚札ＩＤと対応して設けられている。この取得温度欄は、この取得温度欄と対応する棚札ＩＤを備えた電子棚札１が検知した温度を、温度管理装置７が棚札サーバ２を介して取得の上、記入する欄である。この取得温度欄に記入される温度、即ち、この取得温度欄と対応する棚札ＩＤを備えた電子棚札１が検知した温度が、取得温度（Ｔ）である。
【０１２０】
この取得温度（Ｔ）は、温度管理装置７が棚札サーバ２から提供を受けるたびに、取得温度欄に記入される。この提供は、棚札サーバ２から温度管理装置７に対して、一定間隔で定期的に行われ、上記の取得温度（Ｔ）と、当該取得温度（Ｔ）を検知した電子棚札１の棚札ＩＤとが、一対で、棚札サーバ２から温度管理装置７へ提供される。又、既に取得温度欄に取得温度（Ｔ）が記入された後に、新たに取得温度（Ｔ）が記入されると、上書きされる。従って、取得温度欄には、最新の取得温度が記入されている。
【０１２１】
本実施の形態における温度管理システムでは、温度管理装置７の処理の結果として、図１９に示す温度一覧表示テーブルを、温度管理装置７の表示部３５に表示する。この温度一覧表示テーブルでは、棚札ＩＤの取得温度（Ｔ）が、一覧表示される。
【０１２２】
図１９において、棚札ＩＤと取得温度（Ｔ）は、上記の温度管理テーブルと同じである。又、図１９の温度一覧表示テーブルにおいて、棚札ＩＤと取得温度（Ｔ）は、上記の温度管理テーブルと連動しており、温度管理テーブルに取得温度（Ｔ）が記入されると、自動的に、温度一覧表示テーブルにも記入される。
【０１２３】
又、図１９の温度一覧表示テーブルにおいて、警報の欄には、当該電子棚札１が備えられている場所の温度が、温度制御基準の上限基準温度（Ｔｕ）と下限基準温度（Ｔｄ）とで規定される範囲を超えると発生される警報の種類が表示される。この表示で、「高温！」は、当該電子棚札１が備えられている場所の温度が、上限基準温度（Ｔｕ）よりも高いことを示し、「低音！」は、当該電子棚札１が備えられている場所の温度が、下限基準温度（Ｔｄ）よりも低いことを示している。
【０１２４】
次に、本実施の形態における温度管理システムの制御動作について、具体的に説明する。図２０は、本実施の形態における温度管理システムの制御動作を示したフローチャートである。図２０において、温度管理装置７は、まず、温度管理テーブルから棚札ＩＤを順に１つ選択する（Ｓ５１）。
【０１２５】
次に、Ｓ５１で選択された棚札ＩＤの取得温度（Ｔ）、及び、上限基準温度（Ｔｕ）を抽出して、双方を比較する（Ｓ５２）。この比較で、取得温度（Ｔ）が上限基準温度（Ｔｕ）よりも高いと、即ち、Ｔ＞Ｔｕであると（Ｓ５３）、次に、温度一覧表示テーブルにおいて、Ｓ５１で選択された棚札ＩＤと対応する警報欄に、「高温！」を記入して、Ｓ５５へ進む。
【０１２６】
Ｓ５２における取得温度（Ｔ）と、上限基準温度（Ｔｕ）の比較で、取得温度（Ｔ）が上限基準温度（Ｔｕ）よりも高くないと、即ち、Ｔ＞Ｔｕでないと（Ｓ５３）、何もしないで、Ｓ５５へ進む。
【０１２７】
Ｓ５５では、Ｓ５１で選択された棚札ＩＤの取得温度（Ｔ）、及び、下限基準温度（Ｔｄ）を抽出して、双方を比較する。この比較で、取得温度（Ｔ）が下限基準温度（Ｔｄ）よりも低いと、即ち、Ｔ＜Ｔｄであると（Ｓ５６）、次に、温度一覧表示テーブルにおいて、Ｓ５１で選択された棚札ＩＤと対応する警報欄に、「低温！」を記入して（Ｓ５７）、Ｓ５８へ進む。
【０１２８】
Ｓ５５における取得温度（Ｔ）と、下限基準温度（Ｔｄ）の比較で、取得温度（Ｔ）が下限基準温度（Ｔｄ）よりも低くないと、即ち、Ｔ＜Ｔｄでないと（Ｓ５６）、何もしないで、Ｓ５８へ進む。
【０１２９】
Ｓ５８では、全てのエリアＩＤに対して、処理を終了したか否かをチェックし、終了していなければ（Ｓ５９）、Ｓ５１へ戻って、Ｓ５１以降の処理を繰返す。終了していると（Ｓ５９）、制御間隔タイマ（ＴＭ）をスタートさせると共に、一定時間が経過することにより、この制御間隔タイマ（ＴＭ）がタイムアップするのを待って（Ｓ５９）、Ｓ５１へ戻り、最初からＳ５１以降の処理を繰返す。この制御間隔タイマ（ＴＭ）を用いた一定時間の経過後にＳ１以降の処理を再開するのは、温度管理装置７による警報の発生を安定的に行うようにするためである。
【０１３０】
上記の、本実施の形態における温度管理システムによれば、電子棚札システムの電子棚札１が備えている温度センサ１７を用いて、スーパーマーケットの店舗に設置されている全ての電子棚札１が検知した温度を、一覧表示することができ、この結果を、電子棚札１が設置されているスーパーマーケットの店舗の空調制御に役立たせることができるる。又、この、温度管理システムにおける電子棚札１が備えている温度センサ１７のコストは、電子棚札システムのコストに含まれることから、スーパーマーケット等の店舗内の温度管理に関する低コストの温度管理システムを実現することができる。
【０１３１】
上記の、本実施の形態における温度管理システムによれば、電子棚札１毎に温度管理基準が備えられており、この温度管理基準に基づいて、「高温！」又は「低温！」の警報が発生される。従って、この表示結果を、電子棚札１が設置されているスーパーマーケットの店舗の空調制御に役立たせることができる。
【０１３２】
又、上記の本実施の形態における温度管理システムにおいて、「高温！」又は「低温！」の警報を単に表示するのみならず、警報音の発生や警報ランプの点滅等を行うようにしてもよい。
【０１３３】
又、上記の本実施の形態における温度管理システムにおいて、冷蔵陳列ケース、或いは、冷凍陳列ケースの内部に設置されている電子棚札１については、温度管理テーブルに、冷蔵陳列ケース、或いは、冷凍陳列ケースの内部に設置されている旨のマークを記入する欄を設けることによって、この欄に、当該マークが記入されている電子棚札１の取得温度は、図１９の温度一覧表示テーブルに記入されないようにしてもよい。
【０１３４】
又、上記の本実施の形態における温度管理システムでは、棚札サーバ２と温度管理装置７とは、それぞれ独立した装置であるが、双方を一体化して、例えば、店舗サーバを構成し、この店舗サーバと、電子棚札１とで構成される温度管理システムとするようにしてもよい。
【図面の簡単な説明】
【０１３５】
【図１】本実施の形態における空調制御システムの構成を示したブロック図である。
【図２】本実施の形態における空調制御システムを構成する電子棚札システムで使用される電子棚札登録情報の構成図である。
【図３】本実施の形態における空調制御システムの電子棚札の構成を示したブロック図である。
【図４】本実施の形態における空調制御システムの電子棚札の外観図である。
【図５】本実施の形態における空調制御システムの棚札サーバの構成を示したブロック図である。
【図６】本実施の形態における空調制御システムの空調制御装置の構成を示したブロック図である。
【図７】本実施の形態における空調制御システムの空調制御装置が空調機に対して発する指令を記載したテーブルである。
【図８】本実施の形態における空調制御システムの空調機及び電子棚札の配置の例を示した配置図である。
【図９】本実施の形態における空調制御システムの空調制御装置が備える空調制御エリアテーブルである。
【図１０】本実施の形態における空調制御システムの空調制御装置の表示部に似表示される温度一覧表示テーブルである。
【図１１】本実施の形態における空調制御システムの制御動作を示したフローチャート（その１）である。
【図１２】本実施の形態における空調制御システムの制御動作を示したフローチャート（その２）である。
【図１３】本実施の形態における空調制御システムの制御動作を示したフローチャート（その３）である。
【図１４】本実施の形態における空調制御システムの制御動作を示したフローチャート（その４）である。
【図１５】本実施の形態における空調制御システムの制御動作を示したフローチャート（その５）である。
【図１６】本実施の形態における温度管理システムの構成を示したブロック図である。
【図１７】本実施の形態における温度管理システムの温度管理装置の構成を示したブロック図である。
【図１８】本実施の形態における温度管理システムの温度管理装置が備える温度管理テーブルである。
【図１９】本実施の形態における温度管理システムの温度管理装置が表示する温度一覧表示テーブルである。
【図２０】本実施の形態における温度管理システムの制御動作を示したフローチャートである。
【符号の説明】
【０１３６】
１  電子棚札
２  棚札サーバ
３  空調制御装置
４  空調機
５  冷蔵陳列ケース
６  冷凍陳列ケース
７  温度管理装置
１１  ＣＰＵ
１２  メモリ
１３  無線通信部
１３ａ  アンテナ
１４  表示制御部
１５  センサＩ／Ｆ
１６  コレステリック液晶表示器
１７  温度センサ
１８  制御ライン
２１  ＣＰＵ
２２  メモリ
２３  ＨＤＤ
２４  無線通信部
２４ａ  アンテナ
２５  表示部
２６  操作部
２７  外部接続Ｉ／Ｆ
２８  制御ライン
３１  ＣＰＵ
３２  メモリ
３３  ＨＤＤ
３４  空調機接続部
３５  表示部
３６  操作部
３７  外部接続Ｉ／Ｆ
３８  制御ライン
【図１】
2009074723.tif 000003
【図２】
2009074723.tif 000004
【図３】
2009074723.tif 000005
【図４】
2009074723.tif 000006
【図５】
2009074723.tif 000007
【図６】
2009074723.tif 000008
【図７】
2009074723.tif 000009
【図８】
2009074723.tif 000010
【図９】
2009074723.tif 000011
【図１０】
2009074723.tif 000012
【図１１】
2009074723.tif 000013
【図１２】
2009074723.tif 000014
【図１３】
2009074723.tif 000015
【図１４】
2009074723.tif 000016
【図１５】
2009074723.tif 000017
【図１６】
2009074723.tif 000018
【図１７】
2009074723.tif 000019
【図１８】
2009074723.tif 000020
【図１９】
2009074723.tif 000021
【図２０】
2009074723.tif 000022